(57)【要約】【課題】筒状のフィルタを使用する空気清浄機等の空気調和機において、フィルタの形状を維持しつつフィルタを挿抜でき、フィルタとケーシングとの間の隙間を低減できる構造を提供する。【解決手段】空気調和機の一例である空気清浄機１は、ケーシングと、フィルタ６０と、フィルタホルダ７０とを備える。フィルタ６０は、少なくともフィルタホルダ７０に保持された状態において、上下に延びる筒状である。フィルタホルダ７０は、フィルタ６０の下端部を支持する下部材７１と、フィルタ６０の上端部を支持する上部材７２とを有する。フィルタ６０は、下部材７１と上部材７２とに挟まれた状態で、ケーシングに対して水平方向に挿抜される。これにより、フィルタ６０の形状を維持しつつ、フィルタ６０を挿抜できる。また、フィルタ６０とケーシングとの間の隙間を低減して、封止性を向上させることができる。【選択図】図６
2020185520.tif 000002
【特許請求の範囲】
【請求項１】
空気調和機であって、
吸引孔および吹出孔を有するケーシングと、
前記ケーシング内に収容され、前記吸引孔から前記吹出孔へ向かう空気の流れを形成するファンと、
前記ケーシング内の前記吸引孔と前記吹出孔との間に配置されるフィルタと、
前記フィルタに対して着脱可能なフィルタホルダと、
を備え、
前記フィルタは、少なくとも前記フィルタホルダに保持された状態において、上下に延びる筒状であり、
前記フィルタホルダは、
前記フィルタの下端部を支持する下部材と、
前記フィルタの上端部を支持する上部材と、
を有し、
前記フィルタは、前記下部材と前記上部材とに挟まれた状態で、前記ケーシングに対して水平方向に挿抜可能である、空気調和機。
【請求項２】
請求項１に記載の空気調和機であって、
前記フィルタは、前記フィルタホルダに保持されていない状態において、折り畳み可能である、空気調和機。
【請求項３】
請求項１または請求項２に記載の空気調和機であって、
前記下部材は、
前記フィルタに沿って上方へ突出する複数の第１突起
を有する、空気調和機。
【請求項４】
請求項１から請求項３までのいずれか１項に記載の空気調和機であって、
前記上部材は、
前記フィルタに沿って下方へ突出する複数の第２突起
を有する、空気調和機。
【請求項５】
請求項１から請求項４までのいずれか１項に記載の空気調和機であって、
前記フィルタの上面と前記上部材の下面との間に、上下方向に圧縮された状態で介在する弾性部材
をさらに備え、
前記弾性部材の反発力により、前記上部材が前記ケーシングに接触する、空気調和機。
【請求項６】
請求項５に記載の空気調和機であって、
前記弾性部材は、前記フィルタの上面に固定されている、空気調和機。
【請求項７】
請求項１から請求項６までのいずれか１項に記載の空気調和機であって、
前記上部材の上面は、
上方へ向けて突出する環状の封止リブ
を有し、
前記封止リブが前記ケーシングに接触する、空気調和機。
【請求項８】
請求項１から請求項７までのいずれか１項に記載の空気調和機であって、
前記ケーシングの底部上面は、第１方向に延びる複数の第１リブを有し、
前記下部材の下面は、前記第１方向とは異なる第２方向に延びる複数の第２リブを有し、
前記第１リブと前記第２リブとが、互いに接触する、空気調和機。
【請求項９】
請求項１から請求項８までのいずれか１項に記載の空気調和機であって、
前記フィルタは、前記フィルタホルダに保持された状態において、上下に延びる四角筒状である、空気調和機。
【発明の詳細な説明】
【技術分野】
【０００１】
本発明は、筒状のフィルタを使用する空気調和機に関する。
【背景技術】
【０００２】
従来、室内の空気を清浄化する空気清浄機が知られている。空気清浄機は、交換可能なフィルタを有する。空気清浄機は、外部から吸引された空気を、フィルタにより濾過し、濾過後の空気を再び外部へ排出する。この種の空気清浄機では、フィルタの表面積を大きくするために、筒状のフィルタが使用される場合がある。筒状のフィルタを使用する従来の空気清浄機については、例えば、特許文献１に記載されている。
【先行技術文献】
【特許文献】
【０００３】
【特許文献１】特開２０１６−３４６０２号公報
【発明の概要】
【発明が解決しようとする課題】
【０００４】
筒状のフィルタを使用する空気清浄機では、フィルタの外側から内側へ向かう空気の流れが形成される。このとき、フィルタの上面とケーシングとの間に隙間があると、その隙間に空気の流れが集中して、フィルタを通過する空気の量が低下する。その結果、フィルタによる除塵性能が低下する。したがって、フィルタの上面は、ケーシングに対してしっかりと密着させる必要がある。
【０００５】
しかしながら、ケーシングの内部にフィルタを直接挿入する構造の場合、フィルタ自体に撓みが生じ、それにより、フィルタの上面とケーシングとの間に、隙間が生じるおそれがある。特に、折り畳み式のフィルタを用いる場合には、フィルタの形状を維持することがより困難であるため、上記の隙間の問題が生じやすい。
【０００６】
また、ケーシングの内部にフィルタを直接挿入する構造の場合、フィルタから落下した粉塵がケーシングの内部に溜まる。このため、空気清浄機のユーザは、フィルタの交換時に、ケーシングの内部を清掃して粉塵を除去する必要がある。
【０００７】
本発明は、このような事情に鑑みなされたものであり、筒状のフィルタを使用する空気清浄機等の空気調和機において、フィルタの形状を維持しつつフィルタを挿抜でき、フィルタとケーシングとの間の隙間を低減でき、かつ、ケーシングの内部の清掃も容易となる構造を提供することを目的とする。
【課題を解決するための手段】
【０００８】
本発明の空気調和機は、吸引孔および吹出孔を有するケーシングと、前記ケーシング内に収容され、前記吸引孔から前記吹出孔へ向かう空気の流れを形成するファンと、前記ケーシング内の前記吸引孔と前記吹出孔との間に配置されるフィルタと、前記フィルタに対して着脱可能なフィルタホルダと、を備え、前記フィルタは、少なくとも前記フィルタホルダに保持された状態において、上下に延びる筒状であり、前記フィルタホルダは、前記フィルタの下端部を支持する下部材と、前記フィルタの上端部を支持する上部材と、を有し、前記フィルタは、前記下部材と前記上部材とに挟まれた状態で、前記ケーシングに対して水平方向に挿抜可能である。
【０００９】
この空気調和機では、下部材と上部材とでフィルタの形状を維持しつつ、ケーシングに対してフィルタを水平方向に挿抜できる。また、フィルタとケーシングとの間の隙間を低減して、封止性を向上させることができる。また、この空気調和機では、フィルタから落下した粉塵を下部材で受けて、その下部材を清掃することにより粉塵を除去できる。これにより、ケーシングの内部の清掃が容易となる。
【００１０】
また、前記フィルタは、前記フィルタホルダに保持されていない状態において、折り畳み可能であることが好ましい。これにより、未使用または使用済みのフィルタを、折り畳むことにより、コンパクトに取り扱うことができる。また、使用時には、下部材と上部材とで、フィルタの形状を筒状に維持することができる。
【００１１】
また、前記下部材は、前記フィルタに沿って上方へ突出する複数の第１突起を有することが好ましい。これにより、フィルタの形状を、起立した筒状に維持しやすくなる。
【００１２】
また、前記上部材は、前記フィルタに沿って下方へ突出する複数の第２突起を有することが好ましい。これにより、フィルタの形状を、起立した筒状に維持しやすくなる。
【００１３】
また、前記空気調和機は、前記フィルタの上面と前記上部材の下面との間に、上下方向に圧縮された状態で介在する弾性部材をさらに備え、前記弾性部材の反発力により、前記上部材が前記ケーシングに接触することが好ましい。このようにすれば、弾性部材の反発力によって、上部材をケーシングに押し付けることができる。したがって、上部材とケーシングとの間の隙間を、より低減できる。
【００１４】
また、前記弾性部材は、前記フィルタの上面に固定されていることが好ましい。このようにすれば、フィルタを新品に交換するときに、弾性部材も新品に交換される。このため、長期の使用により弾性部材の弾性力が低下することを防止できる。
【００１５】
また、前記上部材の上面は、上方へ向けて突出する環状の封止リブを有し、前記封止リブが前記ケーシングに接触することが好ましい。このようにすれば、上部材の上面とケーシングとの間の封止性を、より向上させることができる。
【００１６】
また、前記ケーシングの底部上面は、第１方向に延びる複数の第１リブを有し、前記下部材の下面は、前記第１方向とは異なる第２方向に延びる複数の第２リブを有し、前記第１リブと前記第２リブとが、互いに接触することが好ましい。このようにすれば、ケーシングの底部上面と下部材の下面との接触面積を低減できる。これにより、ケーシングに対するフィルタの挿抜動作を、よりスムーズに行うことができる。
【００１７】
また、前記フィルタは、前記フィルタホルダに保持された状態において、上下に延びる四角筒状であることが好ましい。これにより、フィルタの表面積を確保し、かつ、フィルタの内側の空気の流路を広く確保することができる。
【発明の効果】
【００１８】
本発明によれば、下部材と上部材とでフィルタの形状を維持しつつ、ケーシングに対してフィルタを水平方向に挿抜できる。また、フィルタとケーシングとの間の隙間を低減して、封止性を向上させることができる。また、本発明によれば、フィルタから落下した粉塵を下部材で受けて、その下部材を清掃することにより粉塵を除去できる。これにより、ケーシングの内部の清掃が容易となる。
【図面の簡単な説明】
【００１９】
【図１】空気清浄機の前面側から見た斜視図である。
【図２】空気清浄機の背面側から見た斜視図である。
【図３】背面パネルを取り外した状態の、空気清浄機の斜視図である。
【図４】フレームと三面パネルの端縁部の部分上面図である。
【図５】フィルタアセンブリの分解斜視図である。
【図６】下部ケーシング内にフィルタを挿入するときの様子を示した図である。
【図７】フィルタアセンブリを挿入した後の空気清浄機の背面図である。
【発明を実施するための形態】
【００２０】
以下、本発明の実施形態について、図面を参照しつつ説明する。
【００２１】
＜１．一実施形態に係る空気清浄機＞
図１は、本発明の空気調和機の一例である空気清浄機１の、前面側から見た斜視図である。図２は、空気清浄機１の背面側から見た斜視図である。この空気清浄機１は、室内の空気に含まれる粉塵を捕集して、空気を清浄化する装置である。図１および図２に示すように、空気清浄機１は、ケーシング１０、送風ファン２０、制御基板３０、およびフィルタアセンブリ４０を備えている。
【００２２】
ケーシング１０は、略直方体状の筐体である。本実施形態のケーシング１０は、下部ケーシング１１と、下部ケーシング１１の上側に位置する上部ケーシング１２とを有する。フィルタアセンブリ４０は、下部ケーシング１１の内部に収容される。送風ファン２０および制御基板３０は、上部ケーシング１２の内部に収容される。
【００２３】
下部ケーシング１１は、底部プレート１１１、三面パネル１１２、背面パネル１１３、および中間プレート１１４を有する。底部プレート１１１は、空気清浄機１の最下部に位置する矩形板状の部材である。空気清浄機１の使用時には、底部プレート１１１の下面が、床面に接触する。
【００２４】
三面パネル１１２は、上面視においてコの字状の板部材である。三面パネル１１２は、例えば、パンチングメタルプレートをプレス加工でコの字状に屈曲させることにより得られる。三面パネル１１２は、前面部１１２ａ、左側面部１１２ｂ、および右側面部１１２ｃを有する。前面部１１２ａ、左側面部１１２ｂ、および右側面部１１２ｃは、下部ケーシング１１の前面、左側面、および右側面を、それぞれ覆う。三面パネル１１２の前面部１１２ａ、左側面部１１２ｂ、および右側面部１１２ｃには、それぞれ、複数の吸引孔５１が設けられている。複数の吸引孔５１は、三面パネル１１２を、厚み方向に貫通する貫通孔である。
【００２５】
なお、三面パネル１１２は、複数の部材により構成されていてもよい。例えば、前面部１１２ａ、左側面部１１２ｂ、および右側面部１１２ｃが、それぞれ別体の部材であってもよい。また、三面パネル１１２は、樹脂により形成されていてもよい。
【００２６】
背面パネル１１３は、下部ケーシング１１の背面を覆う略平板状の部材である。背面パネル１１３と上述した三面パネル１１２とにより、下部ケーシング１１の四角筒状の側壁部が構成される。背面パネル１１３は、例えば、樹脂の射出成形により得られる。背面パネル１１３には、複数の吸引孔５２が設けられている。複数の吸引孔５２は、背面パネル１１３を厚み方向に貫通する貫通孔である。
【００２７】
背面パネル１１３は、空気清浄機１から取り外し可能である。図３は、背面パネル１１３を取り外した状態の、空気清浄機１の斜視図である。図３に示すように、背面パネル１１３を取り外すと、下部ケーシング１１の背面に、フィルタアセンブリ４０の挿入および取り出しを行うための開口１１５が形成される。
【００２８】
図３に示すように、下部ケーシング１１は、背面の左右両側に、一対のフレーム１１６を有する。一対のフレーム１１６は、それぞれ、上下方向に柱状に延びる。三面パネル１１２の端縁部は、これらのフレーム１１６に固定される。背面パネル１１３は、これらのフレーム１１６に対して着脱可能となっている。
【００２９】
図４は、フレーム１１６と、三面パネル１１２の端縁部の、部分上面図である。図４に示すように、フレーム１１６は、上面視においてＬ字状の係合溝１１６ａを有する。一方、三面パネル１１２の端縁部には、上面視においてコの字状の爪部１１２ｄが設けられている。そして、フレーム１１６の係合溝１１６ａに、三面パネル１１２の爪部１１２ｄが係合することによって、フレーム１１６に三面パネル１１２が固定されている。これにより、三面パネル１１２の、ケーシング１０の外方への膨らみや位置ずれが抑制される。また、空気清浄機１の動作時には、三面パネル１１２に風圧が加わる。しかしながら、本実施形態のフレーム１１６は、上記の係合構造により、三面パネル１１２に対してしっかりと固定されている。これにより、風圧による三面パネル１１２の揺れが抑制される。
【００３０】
中間プレート１１４は、下部ケーシング１１の上面を覆う矩形板状の部材である。下部ケーシング１１の内部空間と、上部ケーシング１２の内部空間とは、中間プレート１１４により仕切られる。ただし、中間プレート１１４には、複数の貫通孔（図示省略）が設けられている。複数の貫通孔は、中間プレート１１４を上下方向に貫通する。このため、下部ケーシング１１の内部空間と、上部ケーシング１２の内部空間とは、これらの貫通孔を介して連通する。
【００３１】
なお、中間プレート１１４は、複数の貫通孔に代えて、１つの大きな貫通孔を有していてもよい。
【００３２】
上部ケーシング１２は、側壁部１２１と、トップカバー１２２とを有する。側壁部１２１は、上部ケーシング１２の前面、右側面、左側面、および背面を覆う四角筒状の部材である。側壁部１２１の前面部には、操作部１２３が設けられている。操作部１２３は、ユーザの操作を受け付ける複数のボタンと、空気清浄機１の動作状態を表示するディスプレイとを有する。トップカバー１２２は、上部ケーシング１２の上面を覆う矩形板状の部材である。トップカバー１２２は、複数の吹出孔５３を有する。複数の吹出孔５３は、トップカバー１２２を上下方向に貫通する貫通孔である。
【００３３】
送風ファン２０は、ケーシング１０の内部に、複数の吸引孔５１，５２から複数の吹出孔５３へ向かう気流を発生させる手段である。本実施形態の送風ファン２０には、いわゆる二重反転ファンが用いられる。すなわち、送風ファン２０は、上下方向に沿って配列された２つのファン２１，２２を有する。２つのファン２１，２２は、モータ（図示省略）の駆動力により、互いに反対向きに回転する。これにより、ケーシング１０の内部に、安定した強い気流を発生させることができる。ただし、空気清浄機１の送風ファン２０は、二重反転ファン以外のファンであってもよい。
【００３４】
制御基板３０は、送風ファン２０を動作制御するための電気回路基板である。制御基板３０は、上部ケーシング１２内の側壁部１２１の角部付近に配置される。制御基板３０は、操作部１２３から入力される指令に基づいて、２つのファン２１，２２の各モータへ、駆動信号を供給する。２つのファン２１，２２は、制御基板３０から供給される駆動信号に応じて動作する。なお、空気清浄機１は、空気中の粉塵の量やにおいを検知するセンサを備えていてもよい。そして、制御基板３０は、それらのセンサの検出結果に基づいて、２つのファン２１，２２の動作を制御してもよい。
【００３５】
フィルタアセンブリ４０は、周囲から吸引した空気を濾過するためのユニットである。図５は、フィルタアセンブリ４０の分解斜視図である。図５に示すように、フィルタアセンブリ４０は、交換可能な消耗品であるフィルタ６０と、フィルタ６０を保持するフィルタホルダ７０とを有する。
【００３６】
本実施形態のフィルタ６０は、四角筒状の除塵フィルタである。フィルタ６０は、４つの板状部６１を有する。４つの板状部６１は、側辺同士が接続されて、環状に繋がっている。ただし、隣り合う板状部６１の接続部は、曲折自在となっている。このため、フィルタ６０は、フィルタホルダ７０に保持されていない状態では、内面同士を接触させるように折り畳むことが可能である。空気清浄機１のユーザは、未使用または使用済みのフィルタ６０を、折り畳んでコンパクトに取り扱うことができる。
【００３７】
フィルタ６０の各板状部６１は、例えば、不織布により形成される。フィルタ６０の表面積を大きくするために、各板状部６１は、不織布をプリーツ状に加工したものであってもよい。板状部６１のプリーツの向きは、水平方向であってもよく、上下方向であってもよい。
【００３８】
また、フィルタ６０の各板状部６１の上面には、弾性部材６２が設けられている。弾性部材６２は、少なくとも上下方向に弾性伸縮可能な部材である。弾性部材６２には、例えば、多孔質のスポンジが用いられる。ただし、スポンジに代えて、ゴムやバネを用いてもよい。弾性部材６２の下面は、板状部６１の上面に、例えば接着剤で固定される。
【００３９】
図５に示すように、フィルタホルダ７０は、フィルタ６０に対して着脱可能な下部材７１および上部材７２を有する。下部材７１は、フィルタ６０の下端部を支持する部材である。上部材７２は、フィルタ６０の上端部を支持する部材である。フィルタ６０は、下部材７１と上部材７２との間に挟まれた状態で保持される。これにより、フィルタ６０の形状が、起立した四角筒状に維持される。
【００４０】
本実施形態の下部材７１は、樹脂製の部材である。下部材７１の形状は、上面視において矩形の略板状である。下部材７１は、４つの第１突起７１１と、中央突起７１２とを有する。４つの第１突起７１１は、下部材７１の四隅において、上方へ突出する。これらの第１突起７１１は、フィルタ６０の隣り合う板状部６１の間に嵌まる。したがって、第１突起７１１の側面は、板状部６１の側端面に沿って上方へ延びる。これにより、フィルタ６０の形状を、起立した四角筒状に、維持しやすくなる。中央突起７１２は、下部材７１の上面の中央において、上方へ突出する。中央突起７１２の形状は、上面視において矩形状である。中央突起７１２は、フィルタ６０の内側に嵌まる。これにより、フィルタ６０の形状を、起立した四角筒状に、より維持しやすくなる。
【００４１】
本実施形態の上部材７２は、樹脂製の部材である。上部材７２の形状は、上面視において矩形かつ環状である。上部材７２は、４つの第２突起７２１を有する。４つの第２突起７２１は、上部材７２の四隅において、下方へ突出する。これらの第２突起７２１は、フィルタ６０の隣り合う板状部６１の間に嵌まる。したがって、第２突起７２１の側面は、板状部６１の側端面に沿って下方へ延びる。これにより、フィルタ６０の形状を、起立した四角筒状に、維持しやすくなる。また、上部材７２の上面には、上方へ向けて突出する封止リブ７２２が設けられている。封止リブ７２２の形状は、上面視において矩形かつ環状である。
【００４２】
フィルタアセンブリ４０は、下部ケーシング１１の内部に配置される。具体的には、ケーシング１０内の、複数の吸引孔５１，５２から複数の吹出孔５３へ向かう空間の途中に、フィルタ６０が配置される。空気清浄機１の動作時には、図１中の破線矢印のように、複数の吸引孔５１，５２から下部ケーシング１１の内部へ、空気が吸引される。吸引された空気は、フィルタ６０を通過することにより濾過される。そして、濾過後の空気が、フィルタ６０の内側から、上部材７２の内側および中間プレート１１４の貫通孔を通って、上部ケーシング１２内へ流れる。その後、図１中の破線矢印のように、複数の吹出孔５３から外部へ、空気が排出される。
【００４３】
図６は、下部ケーシング１１内にフィルタ６０を挿入するときの様子を示した図である。フィルタ６０を挿入するときには、空気清浄機１のユーザは、まず、下部ケーシング１１の背面パネル１１３を取り外す。次に、折り畳まれたフィルタ６０を四角筒状に開いて、下部材７１の上にフィルタ６０を載置する。このとき、下部材７１の４つの第１突起７１１が、フィルタ６０の隣り合う板状部６１の間に、それぞれ嵌まるようにする。また、下部材７１の中央突起７１２が、フィルタ６０の内側に嵌まるようにする。次に、フィルタ６０の上部に、上部材７２を載置する。このとき、上部材７２の４つの第２突起７２１が、フィルタ６０の隣り合う板状部６１の間に嵌まるようにする。これにより、下部材７１と上部材７２とで、フィルタ６０を挟んで保持し、フィルタアセンブリ４０を形成する。そして、そのフィルタアセンブリ４０を、図６中の破線矢印のように、下部ケーシング１１の背面の開口１１５を介して、下部ケーシング１１の内部へ挿入する。
【００４４】
このように、この空気清浄機１では、フィルタ６０が、下部材７１と上部材７２とに挟まれた状態で、下部ケーシング１１内へ水平方向に挿入される。このため、フィルタ６０の形状を、起立した四角筒状に維持しつつ、下部ケーシング１１内にフィルタ６０を挿入できる。特に、下部材７１は、下部ケーシング１１の底部プレート１１１の上面に接触しつつ、前方へ向けてスライド移動する。また、上部材７２は、中間プレート１１４の下面に接触しつつ、前方へ向けてスライド移動する。このため、底部プレート１１１および中間プレート１１４にフィルタ６０が直接接触する場合よりも、円滑にフィルタ６０を下部ケーシング１１内へ挿入できる。
【００４５】
図６に示すように、下部ケーシング１１の底部プレート１１１の上面には、複数の第１リブ８１が設けられている。複数の第１リブ８１は、前後方向（第１方向）に延びる筋状の突起である。また、図５中に破線で示したように、下部材７１の下面には、複数の第２リブ８２が設けられている。複数の第２リブ８２は、左右方向（第２方向）に延びる筋状の突起である。フィルタアセンブリ４０の挿入時には、これらの第１リブ８１と第２リブ８２とが、互いに接触する。このように、互いに異なる方向に延びるリブ同士を接触させれば、底部プレート１１１と下部材７１との接触面積を低減できる。したがって、底部プレート１１１と下部材７１との間の接触抵抗を低減できる。その結果、下部ケーシング１１に対するフィルタアセンブリ４０の挿入動作を、より円滑に行うことができる。
【００４６】
図７は、フィルタアセンブリ４０を挿入した後の空気清浄機１の背面図である。下部ケーシング１１内にフィルタアセンブリ４０が挿入されると、フィルタ６０と上部材７２との間において、弾性部材６２が上下方向に圧縮される。そして、弾性部材６２の圧縮に伴う反発力により、図７中の白抜き矢印のように、下部材７１が底部プレート１１１の上面に押し付けられるとともに、上部材７２が中間プレート１１４の下面に押し付けられる。これにより、上部材７２と中間プレート１１４との間の隙間が低減される。
【００４７】
特に、上部材７２は、上面に設けられた環状の封止リブ７２２が、中間プレート１１４の下面に押し付けられる。これにより、上部材７２と中間プレート１１４との間の封止性が、より向上する。したがって、上部材７２と中間プレート１１４との間を通過する空気の量をより低減して、フィルタ６０による除塵効率を高めることができる。
【００４８】
フィルタアセンブリ４０の挿入が完了すると、ユーザは、背面パネル１１３を取り付けることにより、開口１１５を閉じる。この状態で、空気清浄機１を動作させる。また、空気清浄機１を一定期間使用した後、フィルタ６０を更に新しいフィルタ６０に交換したいときには、再び背面パネル１１３を取り外し、下部ケーシング１１からフィルタアセンブリ４０を取り出す。そして、使用済みのフィルタ６０を廃棄し、再び上記の手順で、新しいフィルタ６０を、下部材７１と上部材７２とで挟んだ状態で、下部ケーシング１１内へ挿入する。
【００４９】
フィルタ６０を交換する場合においても、下部材７１および上部材７２は、交換することなく再利用する。これにより、フィルタ６０の製造コストを抑えることができる。また、使用済みのフィルタ６０の廃棄も容易となる。
【００５０】
また、下部材７１および上部材７２は、フィルタ６０とは別体であるため、丸洗いすることが可能であり、清掃性に優れている。特に、この空気清浄機１では、フィルタ６０から落下した粉塵を、下部材７１で受けることができる。そして、下部材７１を清掃することにより、下部材７１の上面に溜まった粉塵を除去することができる。これにより、下部ケーシング１１の内部の清掃が容易となる。
【００５１】
＜２．変形例＞
以上、本発明の一実施形態について説明したが、本発明は上記の実施形態に限定されるものではない。
【００５２】
上記の実施形態では、フィルタ６０の上面に、弾性部材６２が固定されていた。しかしながら、弾性部材６２は、フィルタ６０の上面ではなく、上部材７２の下面に固定されていてもよい。その場合でも、弾性部材６２の反発力によって、上部材７２を中間プレート１１４へ押し付けることができる。すなわち、弾性部材６２は、フィルタ６０の上面と上部材７２の下面との間に配置されていればよい。
【００５３】
ただし、上記の実施形態のように、弾性部材６２をフィルタ６０と一体にしておけば、フィルタ６０を新品に交換するときに、弾性部材６２も新品に交換される。このため、長期の使用により弾性部材６２の弾性力が低下することを防止できる。
【００５４】
また、上記の実施形態のフィルタ６０は、フィルタホルダ７０に保持された状態において、上下に延びる四角筒状であった。しかしながら、フィルタ６０の形状は、フィルタホルダ７０に保持された状態において、四角筒状以外の多角筒状であってもよく、あるいは、円筒状であってもよい。ただし、フィルタ６０の形状を四角筒状にすれば、フィルタ６０の表面積を広く確保し、かつ、フィルタ６０の内側の空気の流路も広く確保することが、容易となる。また、下部ケーシング１１へのフィルタアセンブリ４０の挿抜を、フィルタ６０の形状に沿って行うことができる。
【００５５】
また、上記の実施形態のフィルタ６０は、複数の板状部６１が環状に繋がっていた。すなわち、隣り合う板状部６１の境界部が、全て接続されていた。しかしながら、一部の境界部が、接続されていなくてもよい。この場合、フィルタ６０がフィルタホルダ７０に保持されていない状態において、複数の板状部６１を単一の平面状に展開することができる。また、上記の実施形態よりも、さらに自由にフィルタ６０を折り畳むことができるため、使用前または使用後のフィルタ６０の取り扱いが、より容易となる。
【００５６】
また、上記の実施形態のフィルタ６０は、折り畳み可能であった。しかしながら、フィルタ６０は、フィルタホルダ７０に保持されていない状態において、形状が略一定の筒状であってもよい。すなわち、フィルタ６０は、少なくともフィルタホルダ７０に保持された状態において、上下に延びる筒状であればよい。
【００５７】
また、上記の実施形態では、空気調和機の一例として、空気清浄機１について説明した。しかしながら、空気調和機の他の例である除湿機や加湿器に、同様のフィルタアセンブリ４０の構造を適用してもよい。
【００５８】
また、空気調和機の細部の形状については、本願の各図と相違していてもよい。また、上記の実施形態や変形例に登場した各要素を、矛盾が生じない範囲で、適宜に組み合わせてもよい。
【符号の説明】
【００５９】
１  空気清浄機
１０  ケーシング
１１  下部ケーシング
１２  上部ケーシング
２０  送風ファン
２１，２２  ファン
３０  制御基板
４０  フィルタアセンブリ
５１，５２  吸引孔
５３  吹出孔
６０  フィルタ
６１  板状部
６２  弾性部材
７０  フィルタホルダ
７１  下部材
７２  上部材
８１  第１リブ
８２  第２リブ
１１１  底部プレート
１１２  三面パネル
１１３  背面パネル
１１４  中間プレート
１１５  開口
１１６  フレーム
１２１  側壁部
１２２  トップカバー
１２３  操作部
７１１  第１突起
７１２  中央突起
７２１  第２突起
７２２  封止リブ
【図１】
2020185520.tif 000003
【図２】
2020185520.tif 000004
【図３】
2020185520.tif 000005
【図４】
2020185520.tif 000006
【図５】
2020185520.tif 000007
【図６】
2020185520.tif 000008
【図７】
2020185520.tif 000009